(57)【要約】【課題】ショ−トヒットとともに、ロングヒットをも狙いやすくしたタイカップタイプのグリップエンド部を有する金属製野球・ソフトボ−ル用バットを提供する。【解決手段】タイカップタイプのグリップ部２とグリップエンド部３を有する金属製野球・ソフトボール用バット１において、前記グリップエンド部の外周面は３段の段付きに形成し、前記グリップ部は長手方向の中央部に凸部を形成したグリップテープを巻回した金属製野球・ソフトボ−ル用バット１を構成するものである。【選択図】図１
2010005135.tif 000002
【特許請求の範囲】
【請求項１】
タイカップタイプのグリップエンド部とグリップ部を有する金属製野球・ソフトボール用バットにおいて、前記グリップエンド部の外周面は３段の段付きに形成したことを特徴とする金属製野球・ソフトボール用バット。
【請求項２】
タイカップタイプのグリップエンド部とグリップ部を有する金属製野球・ソフトボール用バットにおいて、前記グリップエンド部の外周面は２段の段付きに形成したことを特徴とする金属製野球・ソフトボール用バット。
【請求項３】
前記グリップ部は長手方向の中央部に凸部を形成したグリップテープを巻回した請求項１または請求項２記載の金属製野球・ソフトボール用バット。
【請求項４】
前記グリップテープの凸部は、断面梯形または半円形に形成した請求項１ないし請求項３のいずれかに記載の金属製野球・ソフトボール用バット。
【請求項５】
前記グリップ部とグリップエンドとの間に、段差をなくす傾斜スペーサを内蔵させた請求項１ないし請求項４のいずれかに記載の金属製野球・ソフトボール用バット。
【請求項６】
前記グリップテープに形成された凸部には、ゴム状弾性のある緩衝材が充填された請求項１ないし請求項５のいずれかに記載の金属製野球・ソフトボール用バット。
【発明の詳細な説明】
【技術分野】
【０００１】
本発明は、金属製野球・ソフトボ−ル用バットに関するものであり、更に詳しくは、タイカップタイプのグリップエンド部を有する金属製野球・ソフトボール用バットに係るものである。
【背景技術】
【０００２】
通称タイカップタイプと呼ばれているグリップエンド部を備えたバットは、グリップエンド部の形状が大きく、打者はバットを短めに握り、バットのヘッド部とグリップエンド部がウェイトバランスして、ショ−トヒットを狙いやすいように、コンパクトなスイングでバットコントロールが行いやすいようにバットを設計したものである。
【０００３】
近年では、このタイカップタイプのグリップエンド部を、ぎりぎりまで長く握り、ヘッドをきかせてロングヒットを狙うという、従来とは逆転した使用法が知られてきている。
【０００４】
本発明は、タイカップタイプの上記二つの使用法を、より掌のフイット感をよく行なえるようにしたものである。
【０００５】
タイカップタイプのバットについては、先行技術も提案されている（例えば、特許文献１、特許文献２、特許文献３）。特許文献１と特許文献２は、グリップエンド体にネジを設けて固着させ、打撃時のショックを分散させるようにしたものである。また特許文献３は、ウエイトを内蔵したもので、本発明とは相違する。
【特許文献１】実公平７−１１７０号公報
【特許文献２】実開平２−９１５８３号公報
【特許文献３】特開平７−２８９６７３号公報
【０００６】
また、グリップ部の被覆も、開示されている（例えば、特許文献４、特許文献５、特許文献６）。特許文献２は、プロテクターを取り付けて、打者の手を保護したものである。特許文献５は、ピ−ス取り付けて、グリップエンドの位置を変更しうるようにしたものである。特許文献６は、グリップとエンドを粘着材で固定し、最適の使用感が得られるようにしたものである。
【特許文献４】特開２００２−５８７６６号公報
【特許文献５】特開２００４−９７４２８号公報
【特許文献６】特開２０００−１５７６５５号公報
【０００７】
さらに、テープの巻回についても、提案されている（例えば、特許文献７、特許文献８）。特許文献７は、活性成分の配合されたテープで、衝撃吸収性を向上させたものである。特許文献８は、表面に凹凸を形成さしたテープで、滑りを防止したものである。
【特許文献７】特開平１０−２４４０２０公報
【特許文献８】実登第３０４４８３４号公報
【０００８】
これらは、いずれも、タイカップタイプのグリップエンド部を短く握ることもでき、またグリップエンド部を長く握りこともでき、ヘッドをきかせてロングヒットを狙うという、両方のバットスイングはできない。
【発明の開示】
【発明が解決しようとする課題】
【０００９】
上記の事情に鑑み、本発明は、ショートヒットとともに、ロングヒットをも狙いやすくしたタイカップタイプのグリップエンド部を有する金属製野球・ソフトボール用バットの提供を課題とする。
【課題を解決するための手段】
【００１０】
本発明は上記目的を達成するために、タイカップタイプのグリップエンド部とグリップ部を有する金属製野球・ソフトボール用バットにおいて、前記グリップエンド部の外周面は３段の段付きに形成した金属製野球・ソフトボール用バットを構成するものである。
【００１１】
また本発明は上記目的を達成するために、タイカップタイプのグリップエンド部とグリップ部を有する金属製野球・ソフトボール用バットにおいて、グリップエンド部の外周面は２段の段付きに形成した金属製野球・ソフトボール用バットを構成するものである。
【発明の効果】
【００１２】
本発明のバットは、掌のフイット感を良く行なえるようにし、ショートヒットとともにロングヒットをも狙いうるようにしたものである。
【００１３】
本発明のバットは、従来のように短めに握る場合においても、従来のタイカップタイプのバットと何ら変わりなく使用が可能である。
【００１４】
本発明のバットは、グリップエンドに掌で握りやすいように段を設けているので、ヘッドを効かせてロングヒットを狙う場合、従来のタイカップタイプのものと比べ、掌へのフイット感が向上される。
【００１５】
本発明のバットは、グリップエンド部の外周面は３段または２段の段付きに形成されているので、小指がフイットするポイントは、従来のバット同様に、何処で握っても差し支えない。
【００１６】
本発明のバットは、前記グリップテープに形成された凸部には、ゲル化ポリエチレンが充填されているため、打球時におけるバットの振動を吸収し、衝撃の伝達が半減される。
【発明を実施するための最良の形態】
【００１７】
次に本発明の金属製野球・ソフトボ−ル用バットにつき実施例とともに詳しく説明する。
【実施例１】
【００１８】
図１は、本発明の一実施例を示す３段段付きのグリップエンド周りの、一部切欠断面を含むバットの正面図、図２は、グリップテ−プの部分斜視図、図３は、グリップ部とグリップテ−プの積層状態を示す部分断面図、図４は、３段段付きのグリップエンド周りの、小指の握り位置の変化を示し、（イ）は小指がＥの位置、（ロ）は小指がＤの位置、（ハ）は小指がＣの位置、（ニ）は小指がＢの位置、（ホ）は小指がＡの位置の説明図である。
【００１９】
図１に示すように、バット１は、アルミニウム、アルミニウム合金又はＦＲＰ（繊維強化プラスチック）からなり、平行な打球部（図示せず）に接続してグリップ部２が形成され、グリップ部２に接続して形状の大きなグリップエンド部３が別体に設けられている。グリップエンド部３は大きな形状を有するタイカップタイプのものであり、ゴム状弾性体からなり、ボール打球時における衝撃によるグリップエンド部３を握っている手への振動伝達を緩和させることができる。このグリップエンド部２の外周面は３段の段付きに形成されている。
【００２０】
図２に示すように、発泡ポリウレタン又は皮革、合成皮革からなるグリップテープ４は、帯状平面部の中央部を断面凸状に形成され、グリップ部２の外周に螺旋状に巻回されている。グリップテ−プ４の凸状断面にはゴム弾性のある緩衝材が充填されている。グリップ部２とグリップエンド部３との間は、段差をなくす傾斜スペーサ５を内蔵してもよい。
【００２１】
グリップ部２とグリップエンド部２とは、グリップエンド部２の中空部にグリップ部２の端部を挿入し、ゴムライニングやボムインジェクション成形によって重合し固着することができる。
【００２２】
ゴム弾性のある緩衝材として、ゲル化ポリエチレン組成物、硬度が３０゜以下のウレタン樹脂、発泡性ゲル化ポリエチレン、粘弾性のある緩衝材として、クロム系触媒を用いて製造されたポリエチレンとチタン系触媒を用いて製造されたポリエチレンとの組成物、又はエチレン系アイオノマーからなる成分と低密度ポリエチレンアイオノマーとからなる組成物等であると、変形応力に対する緩衝効果が高まるとともに、グリップを掌で握ったとき緩衝材が個人差のある掌に馴染んで、グリップを握った感触がよい。また、グリップから掌を離すとグリップの変形が回復し、塑性変形をすることがなく、グリップの握り手が変わっても緩衝材は同じ性能を得ることができる。
【００２３】
ゲル化ポリエチレンは、例えば、超高分子量ポリエチレン１２０重量％、高密度ポリエチレン６０重量％及び低分子量ポリエチレン２０重量％を混合してポリエチレン組成物（融点１３５℃、結晶分散温度９０℃）を調製し、このポリエチレン組成物１００重量部に酸化防止剤０．４重量部を混合する。これを押出機に投入し、押出機に流動パラフィンを注入する。押出機の内部を減圧状態にして２００℃、３００ｒｐｍで混練し、ポリエチレン溶液を調製する。このポリエチレン溶液をＴダイに供給し、５ｍ／分の速度で押し出し、４０℃の冷却ロールに通し、厚さ５ｍｍのゲル成形物を製作する。なお、上記ポリエチレン組成物にポリプロピレン、エチレンーポリプロピレン共重合体、エチレン−酢酸ビニル共重合体を添加しても良い。
【００２４】
ＪＩＳ  Ａ硬度が３０゜以下のウレタン樹脂は、例えば、末端イソシアネート基を有するウレタンプレポリマー５０部に、ポリプロピレントリオール６５部、分子量３２００のポリプロピレングリコール８３部、分子量１０００のポリプロピレングリコール３７部、ウレタン化触媒としてジブチル錫ジラウレート０．５部を添加し、混合し次いで、減圧下で完全に脱泡した後、金型に注入し、８０℃で1時間加熱し、さらに７０℃で１５時間過熱してウレタンゲル成形品を得る。
【００２５】
発泡性ゲル化ポリエチレンは、例えば、エチレン単位が８３％、グリシジルメテクリレート単位が１２％、酢酸ビニル単位が５％であるエチレン系共重合体パウダ１００重量部に対して、アジピン酸２０重量部、熱分解型セルマイクＣ−１９１を１０重量部攪拌機に入れ、５００ｒｐｍで３分間混合することによりポリエチレン系パウダ組成物を得る。このパウダ組成物を２５０℃の金型にふりかけ１２秒間放置した後、過剰のパウダ組成物を排出する。ついでこの金型を２３０℃のオーブンに入れ、１２０秒間加熱し、組成物を発泡させた後に、金型をオーブンから取り出し、水冷して発泡体を金型から脱型させる。
【００２６】
粘弾性樹脂として、例えば、クロム系触媒を用いて製造されたポリエチレンとチタン系触媒を用いて製造されたポリエチレンと重量比で４０／６０の割合で混合し、この混合物にステアリン酸カルシウムを５０ｐｐｍの濃度になる添加し、混合機で攪拌混合し、押出機を使用して混練しながら押し出し、ポリエチレン組成物を得る。
【００２７】
他の粘弾性樹脂として、例えば、エチレン系アイオノマー樹脂４０重量％と低密度ポリエチレンアイオノマー６０重量％とが配合された混合樹脂１００重量部と、気泡調整剤２重量部と収縮防止剤１００重量部とを配合した原料を押出機に供給して加熱、混錬して溶融樹脂とし、さらにイソブタンを７重量部押出機の溶融樹脂に混錬して発泡性溶融物とする。ついで、押出機で溶融混錬された溶融物をスリットダイから押し出し、連続気泡押出発泡体を得る。
【００２８】
図２、図３に示すように、グリップ部２にグリップテープ４を巻回するに際して、グリップ部２に両面テープ７の下面の離型紙を剥がしてグリップ部２に両面テープ７を接着させ、さらに、両面テープ７の上面の離型紙を剥がしてグリップテープ４と緩衝材６の下面にも、両面テープ７を接着しながらグリップ部２にグリップテープ４を巻回する。そうすると、グリップテープ４の表面に凹凸状の波打ちを生ずる。本実施例の場合は、断面梯形６の凹凸状を呈している。グリップテープ４の凸状断面にゴム弾性のある緩衝材が充填されると、ゴム状弾性を有するため、打撃時のバットの振動を吸収する効果がある。
【００２９】
図４には、ＡからＥの符号は、小指がフイットする５つのポイントを図示している。打者の好みのポイントに合わせて、どこで握っても差し支えない。例えばＡのように短めに握る場合は、従来のタイカップタイプのバットのように、ショートヒットを狙うのもよい。これに対してＥのように長く握る場合には、ロングヒットを狙うようにしてもよい。
【実施例２】
【００３０】
図５は、本発明の別の実施例を示す２段段付きのグリップエンド周りの、一部切欠断面を含むバットの正面図、図６は、グリップテ−プの部分斜視図、図７は、グリップ部とグリップテ−プの積層状態を示す部分断面図、図８は、同２段段付きのグリップエンド周りの、小指の握り位置の変化を示し、（イ）は小指がＤの位置、（ロ）は小指がＣの位置、（ハ）は小指がＢの位置、（ニ）は小指がＡの位置の説明図である。
【００３１】
図５に示すように、バット１１は、アルミニウム、アルミニウム合金又はＦＲＰ（繊維強化プラスチック）からなり、平行な打球部（図示せず）に接続してグリップ部２が形成され、グリップ部１２に接続して形状の大きなグリップエンド部１３が別体に設けられている。グリップエンド部１３は大きな形状を有するタイカップタイプのものであり、ゴム状弾性体からなり、ボール打撃時に衝撃によるグリップエンド部１３を握っている手への振動伝達を緩和させることができる。このグリップエンド部１３の外周面は２段の段付きに形成されている。
【００３２】
図６に示すように、発泡ポリウレタン又は皮革、合成皮革からなるグリップテープ１４は、帯状平面部の中央部を断面凸状に形成され、グリップ部１２の外周に螺旋状に巻回されている。グリップテ−プ１４の凸状断面にはゴム弾性のある緩衝材が充填されている。グリップ部１２とグリップエンド部１３との間は、段差をなくす傾斜スペ−サ１５を内蔵してもよい。
【００３３】
グリップ部２とグリップエンド部２とは、グリップエンド部２の中空部にグリップ部２の端部を挿入し、ゴムライニングやボムインジェクション成形によって重合し固着することができる。
【００３４】
グリップテープ１４の凸状断面に充填するゴム弾性のある緩衝材は、第１実施例と同様の緩衝材を使用することができる。ゲル化ポリエチレン等は、ゴム状弾性体であるため、打撃時のバットの振動を吸収する効果がある。
グリップ部１２にグリップテープ１４を巻回するに際して、グリップ部１２に両面テープ１７の下面の離型紙を剥がしてグリップ部１２に両面テープ１７を接着させ、さらに、両面テープ１７の上面の離型紙を剥がしてグリップテープ１４と緩衝材１６の下面にも、両面テープ１７を接着しながらグリップ部１２にグリップテープ１４を巻回する。そうすると、図７に示すように、表面に凹凸状の波打ちを生ずる。本実施例の場合は、断面半円形１６の凹凸状を呈している。
【００３５】
ＡからＤの符号は、小指がフイットする４つのポイントを図示している。打者の好みのポイントに合わせて、どこで握っても差し支えない。例えばＡのように短めに握る場合は、従来のタイカップタイプのバットのように、ショートヒットを狙うのもよい。これに対してＤのように長く握る場合には、ロングヒットを狙うようにしてもよい。
【産業上の利用可能性】
【００３６】
本発明のバットは、タイカップタイプで、ショートヒットに限らず、ロングヒットをも広く狙いうるようにしたものである。
【図面の簡単な説明】
【００３７】
【図１】本発明の一実施例を示す３段段付きのグリップエンド周りの、一部切欠断面を含むバットの正面図である。
【図２】本発明の一実施例を示すグリップテープの部分斜視図である。
【図３】グリップ部とグリップテープの積層状態を示す部分断面図である。
【図４】本発明の３段段付きのグリップエンド周りの、小指の握り位置の変化を示し、（イ）は小指がＥの位置、（ロ）は小指がＤの位置、（ハ）は小指がＣの位置、（ニ）は小指がＢの位置、（ホ）は小指がＡの位置の説明図である。
【図５】本発明の別の実施例を示す２段段付きのグリップエンド周りの、一部切欠断面を含むバットの正面図である。
【図６】本発明の一実施例を示すグリップテープの部分斜視図である。
【図７】グリップ部とグリップテープの積層状態を示す部分断面図である。
【図８】同２段段付きのグリップエンド周りの、小指の握り位置の変化を示し、（イ）は小指がＤの位置、（ロ）は小指がＣの位置、（ハ）は小指がＢの位置、（ニ）は小指がＡの位置の説明図である。
【符号の説明】
【００３８】
１，１１    バット
２，１２    グリップ部
３，１３    グリップエンド部
４，１４    グリップテープ
５，１５    傾斜スペーサ
６          断面梯形緩衝材
１６        断面半円形緩衝材
７，１７    両面テープ
【図１】
2010005135.tif 000003
【図２】
2010005135.tif 000004
【図３】
2010005135.tif 000005
【図４】
2010005135.tif 000006
【図５】
2010005135.tif 000007
【図６】
2010005135.tif 000008
【図７】
2010005135.tif 000009
【図８】
2010005135.tif 000010